【手続補正書】
【提出日】平成25年1月7日(2013.1.7)
【手続補正１】
【補正対象書類名】特許請求の範囲
【補正対象項目名】全文
【補正方法】変更
【補正の内容】
【特許請求の範囲】
【請求項１】
建設又は解体装置に器具アタッチメントを係合および係合解除するために使用される油圧システムの油圧シリンダに加圧油圧流体を提供する方法であって、加圧油圧流体は前記油圧システムに備えられたブロック状のマニホルドに提供され、前記システムは、リザーバと、ポンプと、延出室と退縮室とを形成して、複動ピストンを内部に備えた往復移動する前記油圧シリンダとを備え、前記方法は、以下の工程を含む、
ａ）前記油圧シリンダの前記延出室と流体連通可能な延出通路を介して前記延出室に加圧流体を提供する、ここで、前記延出通路は、延出室ポートと流体供給ポートとを備える、
ｂ）前記油圧シリンダの前記退縮室と流体連通可能な退縮通路を介して前記退縮室から流体を排出する、ここで、前記退縮通路は、退縮室ポートと流体排出ポートとを備える、および
ｃ）前記延出通路への流体の流入を増大させるべく前記退縮通路から前記延出通路への一方向の流れを許容するために、前記延出通路と前記退縮通路とを接続する再生通路を提供する、そして
ｄ）前記第１弁と前記退縮通路とを接続する圧力解放通路を提供し、この圧力解放通路の内部の圧力解放弁によって、前記延出通路と前記退縮通路との間での圧力均一化を経時的に許容し、
ｅ）前記マニホルドを構成する前記ブロックは、内部に延出する孔部を含む非回転ベースと中央軸心とを有するスイベル式アタッチメントを備え、前記孔部内に回転筒状ホーンが支持されており、
ｆ）前記回転筒状ホーンは前記油圧シリンダと一体回転するように前記油圧シリンダに取り付けられており、前記非回転ベースは前記建設又は解体装置に固定されている。
【請求項２】
更に、前記延出通路の流体圧が所定の設定点圧力よりも低い時に、前記延出室が流体によって満たされる時間を短縮するために、前記流体を前記退縮通路から前記再生通路を介して前記延出通路内へと導く工程を有する請求項１の方法。
【請求項３】
更に、前記延出通路の流体圧が前記設定点圧力と等しいかそれよりも高い時に、前記退縮通路を通して前記流体を前記再生通路の除外へと導く工程を有する請求項１の方法。
【請求項４】
単一方向の流れを許容するべく前記延出通路と前記退縮通路とを接続する再生通路を提供する前記工程は、更に、前記再生通路内にチェック弁を提供する工程を含む請求項１の方法。
【請求項５】
建設、解体装置に対する器具アタッチメントに使用される油圧作動システムであって、以下を有する、
ａ）流体で満たされたリザーバ、
ｂ）延出室と退縮室とを形成して、往復移動する複動ピストンを内部に備える油圧シリンダ、ここで、前記複動ピストンは、ロッドを駆動し、このロッドは器具アタッチメントに連結されている、
ｃ）前記延出室を加圧して前記ロッドを延出させ、前記退縮室を加圧して前記ロッドを退縮させるために、流体を前記油圧ピストンの前記両室と前記リザーバとの間で移動させるポンプ、ここで、これら一方の室が満たされている時、他方の室は空にされている、および
ｄ）前記リザーバと前記油圧シリンダの前記両室とに流体接続されてそれらの間で流体を案内するマニホルド、ここで前記マニホルドは以下の構成を備えたブロックを含む、
１）前記油圧シリンダの前記延出室と流体連通可能な延出通路、前記延出通路は、延
出室ポートと流体供給ポートとを備える、
２）前記油圧シリンダの前記退縮室と流体連通可能な退縮通路、前記退縮通路は、退縮室ポートと流体排出ポートとを備える、
３）前記延出通路と前記退縮通路とを接続する再生通路、前記再生通路には前記延出通路への流れを増大させるべく、前記退縮通路から前記延出通路への一方向の流れを許容するチェック弁が設けられている、そして
４）前記器具アタッチメントと前記ポンプとの間に配置されたスイベル式アタッチメント、該スイベル式アタッチメントは、その内部に延出する孔部と、その内部に固定された回転筒状ホーンとを備える非回転ベースを有し、流体が、前記ベースと前記ホーンとの間の流体継手を介して前記ベースと前記ホーンとの間に流通され、そして前記スイベル式アタッチメントは、前記ホーンがこのホーンの中央軸心周りで回転することを許容する、
ｅ）前記回転筒状ホーンは前記油圧シリンダと一体回転するように前記油圧シリンダに取り付けられており、前記非回転ベースは前記建設又は解体装置に固定されている。
【請求項６】
建設又は解体装置に対して着脱して使用される油圧システムに加圧された油圧流体を提供するマニホルドであって、前記油圧システムは、リザーバと、ポンプと、延出室と退縮室とを形成して、複動ピストンを内部に備えた往復移動油圧シリンダとを備え、前記マニホルドに備えられたブロックは以下を有する、
ａ）前記油圧シリンダの前記延出室と流体連通可能な延出通路、前記延出通路は延出室ポートと流体供給ポートとを備える、
ｂ）前記油圧シリンダの前記退縮室と流体連通可能な退縮通路、前記退縮通路は退縮室ポートと流体排出ポートとを備える、および
ｃ）前記延出通路と前記退縮通路とを接続し、前記退縮通路から前記延出通路への流れを増大させるべく、前記退縮通路から前記延出通路への一方向の流れを許容するチェック弁が組み込まれた再生通路、
ｄ）前記再生通路内において前記チェック弁と直列に配設された第１弁、前記第１弁は、前記退縮通路から前記延出通路に向かう無制限の流れを許容する、
ｅ）前記再生通路と前記流体排出ポートとの間で、前記退縮通路と直列に配設された第２弁、前記第２弁は、所定の設定点圧力又はその設定点圧力以上で選択的に開放され、それ以外では閉鎖される、および
ｆ）前記第１弁と前記退縮通路とを接続する圧力解放通路を有し、前記圧力解放通路の内部に、前記延出通路と前記退縮通路との間の圧力均一化を経時的に許容するための圧力解放弁を備える、
ｇ）前記ブロックは、更に、内部に延出する孔部を含む非回転ベースと中央軸心とを有するスイベル式アタッチメントを備え、前記孔部内に回転筒状ホーンが支持されており、
ｈ）前記回転筒状ホーンは前記油圧シリンダと一体回転するように前記油圧シリンダに取り付けられており、前記非回転ベースは前記建設又は解体装置に固定されている。
【請求項７】
前記圧力解放弁は前記退縮通路に対して排出する請求項６のマニホルド。
【請求項８】
建設又は解体装置に対して着脱して使用される油圧システムに加圧された油圧流体を提供するマニホルドであって、前記油圧システムは、リザーバと、ポンプと、延出室と退縮室とを形成して、複動ピストンを内部に備えた往復移動油圧シリンダとを備え、前記マニホルドに備えられたブロックは以下を有する、
ａ）前記油圧シリンダの前記延出室と流体連通可能な延出通路、前記延出通路は延出室ポートと流体供給ポートとを備える、
ｂ）前記油圧シリンダの前記退縮室と流体連通可能な退縮通路、前記退縮通路は退縮室ポートと流体排出ポートとを備える、
ｃ）前記延出通路と前記退縮通路とを接続し、前記退縮通路から前記延出通路への流れを増大させるべく、前記退縮通路から前記延出通路への一方向の流れを許容するチェック弁が組み込まれた再生通路、および
ｄ）前記油圧シリンダはハウジングを有し、前記ブロックは、前記油圧シリンダの前記ハウジングに直接に固定され、同ハウジングに対して面一である、
ｅ）前記ブロックは、更に、内部に延出する孔部を含む非回転ベースと中央軸心とを有するスイベル式アタッチメントを備え、前記孔部内に回転筒状ホーンが支持されており、
ｆ）前記回転筒状ホーンは前記油圧シリンダと一体回転するように前記油圧シリンダに取り付けられており、前記非回転ベースは前記建設又は解体装置に固定されている。
【請求項９】
建設又は解体装置に対して着脱して使用される油圧システムに加圧された油圧流体を提供するマニホルドであって、前記油圧システムは、リザーバと、ポンプと、延出室と退縮室とを形成して、複動ピストンを内部に備えた往復移動油圧シリンダとを備え、前記マニホルドに備えられたブロックは以下を有する、
ａ）前記油圧シリンダの前記延出室と流体連通可能な延出通路、前記延出通路は延出室ポートと流体供給ポートとを備える、
ｂ）前記油圧シリンダの前記退縮室と流体連通可能な退縮通路、前記退縮通路は退縮室ポートと流体排出ポートとを備える、
ｃ）前記延出通路と前記退縮通路とを接続し、前記退縮通路から前記延出通路への流れを増大させるべく、前記退縮通路から前記延出通路への一方向の流れを許容するチェック弁が組み込まれた再生通路、および
ｄ）前記チェック弁に対応する前記通路の方向は、前記弁の近傍の領域において急激に変化する、
ｅ）前記ブロックは、更に、内部に延出する孔部を含む非回転ベースと中央軸心とを有するスイベル式アタッチメントを備え、前記孔部内に回転筒状ホーンが支持されており、
ｆ）前記回転筒状ホーンは前記油圧シリンダと一体回転するように前記油圧シリンダに取り付けられており、前記非回転ベースは前記建設又は解体装置に固定されている。
【請求項１０】
前記ブロックは以下を備える請求項９のマニホルド、
ａ）更に、前記再生通路内において前記チェック弁と直列に配設された第１弁を含み、前記第１弁は、前記退縮通路から前記延出通路に向かう無制限の流れを許容する、
ｂ）更に、前記退縮通路と直列で、前記再生通路と前記流体排出ポートとの間に位置する第２弁を有し、前記第２弁は、所定の設定点と等しい又はその設定点以上の圧力で選択的に開放され、それ以外では閉鎖される、および
ｃ）前記チェック弁、前記第１弁及び前記制御弁の少なくとも１つに対応する前記通路の方向は、その該当する弁の近傍の領域において急激に変化する。
【請求項１１】
建設又は解体装置に対して着脱して使用される油圧システムに加圧された油圧流体を提供するマニホルドであって、前記油圧システムは、リザーバと、ポンプと、延出室と退縮室とを形成して、複動ピストンを内部に備えた往復移動油圧シリンダとを備え、前記マニホルドに備えられたブロックは以下を有する、
ａ）前記油圧シリンダの前記延出室と流体連通可能な延出通路、前記延出通路は延出室ポートと流体供給ポートとを備える、
ｂ）前記油圧シリンダの前記退縮室と流体連通可能な退縮通路、前記退縮通路は退縮室ポートと流体排出ポートとを備える、
ｃ）前記延出通路と前記退縮通路とを接続し、前記退縮通路から前記延出通路への流れを増大させるべく、前記退縮通路から前記延出通路への一方向の流れを許容するチェック弁が組み込まれた再生通路、
ｄ）前記再生通路内において前記チェック弁と直列に配設された第１弁、前記第１弁は、前記退縮通路から前記延出通路に向かう無制限の流れを許容する、および
ｅ）前記退縮通路と直列で、前記再生通路と前記流体排出ポートとの間に位置する第２弁、前記第２弁は、所定の設定点と等しい又はその設定点以上の圧力で選択的に開放され、それ以外では閉鎖される、
ｆ）前記ブロックは、更に、内部に延出する孔部を含む非回転ベースと中央軸心とを有するスイベル式アタッチメントを備え、前記孔部内に回転筒状ホーンが支持されており、
ｇ）前記回転筒状ホーンは前記油圧シリンダと一体回転するように前記油圧シリンダに取り付けられており、前記非回転ベースは前記建設又は解体装置に固定されている。
【請求項１２】
建設、解体装置に対する器具アタッチメントに使用される油圧作動システムであって、以下を有する、
ａ）流体で満たされたリザーバ、
ｂ）延出室と退縮室とを形成して、往復移動する複動ピストンを内部に備える油圧シリンダ、ここで、前記複動ピストンは、ロッドを駆動し、このロッドは器具アタッチメントに連結されている、
ｃ）前記延出室を加圧して前記ロッドを延出させ、前記退縮室を加圧して前記ロッドを退縮させるために、流体を前記油圧ピストンの前記両室と前記リザーバとの間で移動させるポンプ、ここで、これら一方の室が満たされている時、他方の室は空にされている、および
ｄ）前記リザーバと前記油圧シリンダの前記両室とに流体接続されてそれらの間で流体を案内するマニホルド、ここで前記マニホルドは、前記器具アタッチメントに直接に固定
され、同器具アタッチメントに対して面一であり、前記器具アタッチメントとの相対回転を許容せず、前記マニホルドは以下を含む、
１）前記油圧シリンダの前記延出室と流体連通可能な延出通路、前記延出通路は、延出室ポートと流体供給ポートとを備える、
２）前記油圧シリンダの前記退縮室と流体連通可能な退縮通路、前記退縮通路は、退縮室ポートと流体排出ポートとを備える、および
３）前記延出通路と前記退縮通路とを接続する再生通路、前記再生通路には前記延出通路への流れを増大させるべく、前記退縮通路から前記延出通路への一方向の流れを許容するチェック弁が設けられている、
ｅ）前記ブロックは、更に、内部に延出する孔部を含む非回転ベースと中央軸心とを有するスイベル式アタッチメントを備え、前記孔部内に回転筒状ホーンが支持されており、
ｆ）前記回転筒状ホーンは前記油圧シリンダと一体回転するように前記油圧シリンダに取り付けられており、前記非回転ベースは前記建設又は解体装置に固定されている。
【手続補正２】
【補正対象書類名】明細書
【補正対象項目名】００１０
【補正方法】変更
【補正の内容】
【００１０】
本発明は、建設又は解体装置に係合および係合解除させて使用される油圧システムに加圧された油圧流体を提供するマニホルドに関する。この油圧システムは、リザーバとポンプと複動ピストンを備えた往復移動油圧シリンダとを備え、前記マニホルドに備えられたブロックは以下を有する、
ａ）前記油圧シリンダの前記延出室と流体連通可能な延出通路、前記延出通路は延出室ポートと流体供給ポートとを備える、
ｂ）前記油圧シリンダの前記退縮室と流体連通可能な退縮通路、前記退縮通路は退縮室ポートと流体排出ポートとを備える、および
ｃ）前記延出通路と前記退縮通路とを接続し、前記退縮通路から前記延出通路への流れを増大させるべく、前記退縮通路から前記延出通路への一方向の流れを許容するチェック弁が組み込まれた再生通路、
ｄ）前記再生通路内において前記チェック弁と直列に配設された第１弁、前記第１弁は、前記退縮通路から前記延出通路に向かう無制限の流れを許容する、
ｅ）前記再生通路と前記流体排出ポートとの間で、前記退縮通路と直列に配設された第２弁、前記第２弁は、所定の設定点圧力又はその設定点圧力以上で選択的に開放され、それ以外では閉鎖される、および
ｆ）前記第１弁と前記退縮通路とを接続する圧力解放通路を有し、前記圧力解放通路の内部に、前記延出通路と前記退縮通路との間の圧力均一化を経時的に許容するための圧力解放弁を備える、
ｇ）前記ブロックは、更に、内部に延出する孔部を含む非回転ベースと中央軸心とを有するスイベル式アタッチメントを備え、前記孔部内に回転筒状ホーンが支持されており、
ｈ）前記回転筒状ホーンは前記油圧シリンダと一体回転するように前記油圧シリンダに取り付けられており、前記非回転ベースは前記建設又は解体装置に固定されている。
【手続補正３】
【補正対象書類名】明細書
【補正対象項目名】００１１
【補正方法】変更
【補正の内容】
【００１１】
本発明は、又、建設又は解体装置に器具アタッチメントを係合および係合解除するために使用される油圧システムに加圧された油圧流体を提供する方法にも関する。前記システムは、リザーバ、ポンプ、及び、延出室と退縮室とを形成して複動ピストンを内部に備えた往復移動油圧シリンダを有する。前記方法は以下の各工程を含む：ａ）油圧シリンダの延出室と流体連通可能な延出通路を介して延出室に加圧流体を提供する、ここで、延出通路は延出室ポートと流体供給ポートとを備える；ｂ）前記油圧シリンダの前記退縮室と流体連通可能な退縮通路を介して退縮室から流体を排出する、ここで、退縮通路は、退縮室ポートと流体排出ポートとを備える；そしてｃ）延出通路への流体の流入を増大するために、退縮通路から延出通路への一方向の流れを許容するべく、延出通路と退縮通路とを接続する再生通路を提供する、さらにｄ）前記第１弁と前記退縮通路とを接続する圧力解放通路を提供し、この圧力解放通路の内部の圧力解放弁によって、前記延出通路と前記退縮通路との間での圧力均一化を経時的に許容し、ｅ）前記マニホルドを構成する前記ブロックは、内部に延出する孔部を含む非回転ベースと中央軸心とを有するスイベル式アタッチメントを備え、前記孔部内に回転筒状ホーンが支持されており、ｆ）前記回転筒状ホーンは前記油圧シリンダと一体回転するように前記油圧シリンダに取り付けられており、前記非回転ベースは前記建設又は解体装置に固定されている。
【手続補正４】
【補正対象書類名】明細書
【補正対象項目名】００１２
【補正方法】変更
【補正の内容】
【００１２】
本発明は、更に、ここに記載のマニホルドを利用した、建設、解体装置に対する器具アタッチメントに使用される油圧作動システムにも関し、この油圧作動システムは以下の構成を有する。
ａ）流体で満たされたリザーバ、
ｂ）延出室と退縮室とを形成して、往復移動する複動ピストンを内部に備える油圧シリンダ、ここで、前記複動ピストンは、ロッドを駆動し、このロッドは器具アタッチメントに連結されている、
ｃ）前記延出室を加圧して前記ロッドを延出させ、前記退縮室を加圧して前記ロッドを退縮させるために、流体を前記油圧ピストンの前記両室と前記リザーバとの間で移動させるポンプ、ここで、これら一方の室が満たされている時、他方の室は空にされている、および
ｄ）前記リザーバと前記油圧シリンダの前記両室とに流体接続されてそれらの間で流体を案内するマニホルド、ここで前記マニホルドは以下の構成を備えたブロックを含む、
１）前記油圧シリンダの前記延出室と流体連通可能な延出通路、前記延出通路は、延
出室ポートと流体供給ポートとを備える、
２）前記油圧シリンダの前記退縮室と流体連通可能な退縮通路、前記退縮通路は、退縮室ポートと流体排出ポートとを備える、
３）前記延出通路と前記退縮通路とを接続する再生通路、前記再生通路には前記延出通路への流れを増大させるべく、前記退縮通路から前記延出通路への一方向の流れを許容するチェック弁が設けられている、そして
４）前記器具アタッチメントと前記ポンプとの間に配置されたスイベル式アタッチメント、該スイベル式アタッチメントは、その内部に延出する孔部と、その内部に固定された回転筒状ホーンとを備える非回転ベースを有し、流体が、前記ベースと前記ホーンとの間の流体継手を介して前記ベースと前記ホーンとの間に流通され、そして前記スイベル式アタッチメントは、前記ホーンがこのホーンの中央軸心周りで回転することを許容する、
ｅ）前記回転筒状ホーンは前記油圧シリンダと一体回転するように前記油圧シリンダに取り付けられており、前記非回転ベースは前記建設又は解体装置に固定されている。